(57)【要約】【課題】  受信したデータに対して、その著作権の保護を強化することが可能な暗号化装置を備えた情報処理装置を提供する。【解決手段】  受信データが著作権により保護されたデータであるか否かを識別するための著作権保護識別部４と、著作権保護識別部４で取得された著作権情報を管理する著作権情報管理部９とを備える。暗号鍵Ａ生成部６にて、著作権情報管理部９で管理している複製許可回数及び複製許可残回数より暗号鍵Ａを、暗号鍵Ｂ生成部７にて、複製許可回数及び装置固有情報より暗号鍵Ｂを生成し、暗号鍵Ａ及びＢに基づいて、受信したデータを暗号化する。【選択図】図１
2006146957.tif 000002
【特許請求の範囲】
【請求項１】
データを受信するための受信手段と、該受信手段により受信した受信データを暗号化するための暗号化手段と、該暗号化手段により暗号化した受信データを交換可能な記録媒体に記録するための記憶手段とを備え、前記記録媒体に記録された受信データを新規な記録媒体に複写可能な情報処理装置において、
前記受信データが著作権により保護されたデータであるか否かを識別するための著作権保護識別手段と、
前記受信データから著作権情報を検出して著作権管理情報を生成するための著作権情報管理手段と、
当該情報処理装置の固有情報と、前記受信データの著作権情報と、前記著作権情報管理手段で生成した著作権管理情報とに基づいて暗号鍵を生成するための暗号鍵作成手段を備え、
前記受信データに対して、前記暗号鍵作成手段で作成した暗号鍵を用いて暗号化を行い暗号化済受信データを生成し、該暗号化済受信データを前記記録媒体に記録することにより、著作権を保護することを特徴とする情報処理装置。
【請求項２】
前記受信データの著作権情報が許可した範囲において、前記暗号化済受信データと、該暗号化済受信データを復号化するための暗号鍵を送出し、新規な記録媒体に複製可能としたことを特徴とする請求項１記載の情報処理装置。
【発明の詳細な説明】
【技術分野】
【０００１】
本発明は、受信したデータに対して、その著作権の保護を強化することが可能な暗号化装置を備えた情報処理装置に関する。
【背景技術】
【０００２】
近年、データ通信が一般化するに伴い、通信機能を有した携帯情報端末装置が普及してきている。これらの携帯情報端末装置には、受信したデータを保存するための記録媒体を備えており、この記録媒体は、例えば、携帯情報端末装置に装着脱可能となった書き換え可能なメモリカードにより構成されている。また、これらの携帯情報端末装置では、受信したデータをメモリカード等の記録媒体に保管する際に暗号化する技術が採用されており、受信データの内容を他人が容易に読むことができないようになっている。
【０００３】
例えば、情報記録媒体の固有の識別情報を任意の認証番号により暗号化して第１の情報を生成し、この第１の情報を情報記録媒体を取り扱うシステムの所定の情報により暗号化して第２の情報を生成し、この第２の情報の一部を選択して第３の情報を生成し、この第３の情報を情報記録媒体に対する情報の読み取りおよび書き込みを行うための装置の固有の情報により暗号化して情報記録媒体に記録される情報へアクセスするための暗号鍵を生成するようにした技術が開示されている（例えば、特許文献１参照）。
【０００４】
また、通信手段により暗号化されたディジタルデータを受信するための通信手段を有するとともに、データの暗号化を行うための暗号化手段は、記録媒体の識別情報に基づいて生成した暗号鍵によりデータを暗号化するための第１の暗号化部と、記録媒体を取り扱う再生装置の識別情報に基づいて生成した暗号鍵によりデータを暗号化するための第２の暗号化部とを有し、記録媒体が再生装置から着脱可能であると判断した場合には、第１の暗号化部によりデータの暗号化を行なわせ、記録媒体が再生装置から着脱不可であると判断した場合には、第２の暗号化部によりデータの暗号化を行なわせるようにした技術が開示されている（例えば、特許文献２参照）。
【０００５】
また、装置の固有情報を記録媒体に書き込んでおき、この記録媒体が装置に装着された時、装置の固有情報と、記録媒体上に記録済の固有情報を読み出して比較し、固有情報が一致しなかった場合はアクセスを禁止する技術が開示されている（例えば、特許文献３参照）。この技術では、固有情報を記録媒体に記録する際に、固有情報を暗号化するようになっている。
【０００６】
また、記録媒体の保持する固有情報によって暗号化された鍵と、各情報に特有の識別情報と、前記鍵により暗号化された情報とに基づいて、暗号化された鍵を情報特有の識別情報により特定し、暗号化された情報を復号化して再生する技術が開示されている（例えば、特許文献４参照）。
【特許文献１】特開平９−１４６４５７号公報
【特許文献２】特開２０００−１８７９３５号公報
【特許文献３】特開平７−２８７６５５公報
【特許文献４】特開２０００−１１３５８６公報
【発明の開示】
【発明が解決しようとする課題】
【０００７】
上述した従来の技術においては、種々の暗号鍵生成方式により生成された暗号鍵を用いて、記録媒体に記録される情報の安全性を高めたり、記録媒体が着脱可能な場合に、暗号鍵の生成方式を制御する方法が採用されている。
すなわち、データ秘匿の重要性が増すことにより、その安全性にかかわる暗号鍵の生成および制御はより高度になってゆく。
【０００８】
しかしながら、上述した従来の技術では、着脱可能な記録媒体に対して、当該記録媒体の識別情報に基づいて暗号鍵を制御する方法が採用されている。このため、当該記録媒体のデータを新規な記録媒体に複写すると、元の記録媒体の固有情報と新規な記録媒体の固有情報とが異なることから、複写はできても再生ができなくなってしまうという問題があった。
【０００９】
また、情報処理装置の固有情報を記録媒体に書き込む方式では、上述した問題を解決することができるものの、データの著作権を無視して複写がなされる可能性が生じるという問題があった。すなわち、データの暗号化に対してある程度の知識を有する者であれば、記録媒体に記録されている暗号化データを一旦復号化して再生し、次に保存する場合に、新規な記録媒体に対してデータを保存すれば、著作権を無視した複写を行うことができてしまう場合があった。
【００１０】
また、装置の固有情報と、記録媒体上に記録済の固有情報とを読み出して比較し、固有情報が一致しなかった場合はアクセスを禁止する方法では、記録媒体に記録された情報自体は容易に読み出せるため、別の記録媒体に複製が可能であり、著作権の保護を図ることができなかった。さらに、装置が故障などにより使用不可能となった場合には、それまで記録された情報を他の装置で読み込もうとしても、記録媒体に書き込まれた装置の固有情報が異なるため、読み出しが不可能であった。
【００１１】
また、記録媒体の保持する固有情報によって暗号化された鍵と、各情報に特有の識別情報と、前記鍵により暗号化された情報とに基づいて、暗号化された鍵を情報特有の識別情報により特定し、暗号化された情報を復号化して再生する方法では、各情報に特有の識別情報を利用すれば、各情報を無制限に複製できるので、著作権保持者が望む複製回数の制限が無効となり、結果として著作権保護を図ることができなかった。
【００１２】
本発明は、上述した事情に鑑み提案されたもので、受信したデータに対して、その著作権の保護を強化することが可能な暗号化装置を備えた情報処理装置を提供することを目的とする。
【課題を解決するための手段】
【００１３】
本発明に係る情報処理装置は、データを受信するための受信手段と、該受信手段により受信した受信データを暗号化するための暗号化手段と、該暗号化手段により暗号化した受信データを交換可能な記録媒体に記録するための記憶手段とを備え、前記記録媒体に記録された受信データを新規な記録媒体に複写可能な情報処理装置において、前記受信データが著作権により保護されたデータであるか否かを識別するための著作権保護識別手段と、前記受信データから著作権情報を検出して著作権管理情報を生成するための著作権情報管理手段と、当該情報処理装置の固有情報と、前記受信データの著作権情報と、前記著作権情報管理手段で生成した著作権管理情報とに基づいて暗号鍵を生成するための暗号鍵作成手段を備え、前記受信データに対して、前記暗号鍵作成手段で作成した暗号鍵を用いて暗号化を行い暗号化済受信データを生成し、該暗号化済受信データを前記記録媒体に記録することにより、著作権を保護することを特徴とするものである。
【００１４】
また、前記情報処理装置において、前記受信データの著作権情報が許可した範囲において、前記暗号化済受信データと、該暗号化済受信データを復号化するための暗号鍵を送出し、新規な記録媒体に複製可能とすることができる。
【発明の効果】
【００１５】
本発明に係る情報処理装置によれば、情報処理装置の固有情報と、受信データの著作権情報と、著作権情報管理手段で生成した著作権管理情報とに基づいて暗号鍵が生成される。
【００１６】
したがって、著作権保護の対象となる暗号化データの複製に対し、暗号鍵が保持する複製制限情報および複製可否情報に基づいて複製管理が可能となる。
【００１７】
さらに、暗号鍵は装置固有情報を保持しているので、ユーザーが他の情報処理装置ヘのデータ移動を望む場合、著作権保持者がその行為を許可しているのであれば、装置固有情報を参照しない状態における一過性の複製が可能となる。
【発明を実施するための最良の形態】
【００１８】
以下、図面に基づいて、本発明に係る情報処理装置の一実施形態を説明する。
【００１９】
図１は、本発明の一実施形態に係る情報処理装置の概略構成を示すブロック図である。
本発明の一実施形態に係る情報処理装置１は、図１に示すように、交換可能な記録媒体２に対してデータを記録するとともに、この記録媒体２に記録されたデータを新規な記録媒体に複写することが可能な装置である。
【００２０】
この情報処理装置１は、データの送受信を行なうための通信機能部３と、受信したデータが著作権保護データか否かを識別するための著作権保護識別部４と、データを暗号化するためのデータ暗号部５と、データを暗号化する際に使用する暗号鍵を生成するための暗号鍵Ａ生成部６および暗号鍵Ｂ生成部７と、情報処理装置１の固有情報を取得して出力するための固有情報取得・出力部８と、受信データから取得される著作権情報を管理するための著作権情報管理部９と、記録媒体２に記録されたデータを復号化するための暗号化データ復号部１０と、復号化したデータを外部に出力するための表示・外部出力インターフェイス部１１とを備えている。また、記録媒体２には、記録されたデータに使用されている暗号鍵情報を管理するための鍵情報管理部１２が付加されている。
情報処理装置１の固有情報とは、情報処理装置１毎に異なる情報、例えばＲＯＭ内部に格納されている製造番号やＣＰＵ毎に割り振られた識別番号などのことである。
【００２１】
この情報処理装置１において、通信機能部３で受信したデータは、著作権保護識別部４において著作権保護の対象データか否かが識別される。本実施形態に係る情報処理装置１では、データの種類（ＤＶＤやＤＶＣ等）毎に定められている規格に基づいて、著作権保護の識別を行なう。なお、本実施形態に係る情報処理装置１では、著作権保護が行われていない著作物の暗号化（鍵）については特定しないことを前提としているため、著作権保護が行われているデータの暗号化のみについて説明する。
【００２２】
次に、図２に示すフローチャートに基づいて、本実施形態に係る情報処理装置１の動作を説明する。
【００２３】
本実施形態に係る情報処理装置１では、通信機能部３により、通信網を介してデータを受信し、著作権保護識別部４により、著作権保護の対象データか否かを識別する。そして、著作権保護のデータである場合には、図２に示すように、著作権者からデータの複製が許可されているか否かの情報を取得して当該制限内容を判断する（Ｓ１）。
【００２４】
ここで、データの複製が許可されていない場合には、著作権情報管理部９にて、複製許可回数と複製許可残回数をともにゼロとして、複製を禁止する（Ｓ２）。そして、複製許可回数を取得するとともに（Ｓ３）、複製許可残回数を取得し（Ｓ４）、取得した複製許可回数および複製許可残回数に基づいて、暗号鍵Ａ生成部６により暗号鍵Ａを生成する（Ｓ５）。したがって、暗号鍵Ａには、著作権情報に基づく複製制限情報が含まれることとなる。
【００２５】
また、固有情報取得・出力部８から装置固有情報を取得し（Ｓ６）、この装置固有情報および複製許可回数に基づいて、暗号鍵Ｂ生成部７により暗号鍵Ｂを生成する（Ｓ７）。したがって、暗号鍵Ｂには、装置固有情報と複製可否情報が含まれることとなる。
ここで、情報処理装置１の固有情報は、予め情報処理装置１内のＲＯＭに格納されているものとする。
続いて、データ暗号部５において、生成された暗号鍵Ａと暗号鍵Ｂとに基づいて、受信したデータを暗号化する（Ｓ８）。暗号化されたデータは、記録媒体２に保存され（Ｓ９）、暗号化に使用した暗号鍵Ａと暗号鍵Ｂの情報は、鍵情報管理部１２で管理される。
【００２６】
記録媒体２に記録された暗号化データは、鍵情報管理部１２で管理される情報に基づいて、暗号化データ復号部１０により、各暗号鍵と記録媒体２に記録されている暗号化データから復号され、表示・外部出力インターフェイス部１１へ送られ、表示あるいは出力される。
【００２７】
以上のように、本発明に係る情報処理装置によれば、情報処理装置の固有情報と、受信データの著作権情報と、著作権情報管理部で生成した著作権管理情報とに基づいて暗号鍵が生成される。
【００２８】
したがって、著作権保護の対象となる暗号化データの複製に対し、暗号鍵が保持する複製制限情報および複製可否情報に基づいて複製管理が可能となる。
【００２９】
さらに、暗号鍵は装置固有情報を保持しているので、ユーザーが他の情報処理装置ヘのデータ移動を望む場合、著作権保持者がその行為を許可しているのであれば、装置固有情報を参照しない状態における一過性の複製が可能となる。
【００３０】
尚、本発明の情報処理装置は、上述の図示例にのみ限定されるものではなく、本発明の要旨を逸脱しない範囲内において種々変更を加え得ることは勿論である。
【図面の簡単な説明】
【００３１】
【図１】本発明の一実施形態に係る情報処理装置の概略構成を示すブロック図である。
【図２】本発明の一実施形態に係る情報処理装置の動作を示すフローチャートである。
【符号の説明】
【００３２】
１  情報処理装置
２  記録媒体
３  通信機能部
４  著作権保護識別部
５  データ暗号部
６  暗号鍵Ａ生成部
７  暗号鍵Ｂ生成部
８  固有情報取得・出力部
９  著作権情報管理部
１０  暗号化データ復号部
１１  表示・外部出力インターフェイス部
１２  鍵情報管理部
【図１】
2006146957.tif 000003
【図２】
2006146957.tif 000004